(57)【要約】  【課題】  外装の劣化を防止するのに好適な遊技機を提供する。  【解決手段】  パチスロ機１に、その前面に開口部を有する筐体１００と、筐体開口部を開閉自在に閉塞する前扉２と、この前扉２の前面を被覆すると共に、前扉２に対して着脱可能な透明又は半透明の前扉保護カバー２′と、を設ける。この前扉保護カバー２′には、スタートレバー６、停止ボタン７Ｌ、７Ｃ、７Ｒ、１−ＢＥＴスイッチ１１、２−ＢＥＴスイッチ１２、最大ＢＥＴスイッチ１３、Ｃ／Ｐスイッチ１４などを露出させるためのスタートレバー孔６′、停止ボタン孔７Ｌ′、７Ｃ′、７Ｒ′、１−ＢＥＴスイッチ孔１１′、２−ＢＥＴスイッチ孔１２′、最大ＢＥＴスイッチ孔１３′、Ｃ／Ｐスイッチ孔１４′などの孔部を設ける。【選択図】  図１
2007029526.tif 000002
【特許請求の範囲】
【請求項１】
一面に開口部を有する筐体と、
前記開口部を開閉自在に閉塞する扉と、
前記扉を透過して被覆すると共に、前記扉に対して着脱可能な被覆部材と、
を備えたことを特徴とする遊技機。
【請求項２】
請求項１に記載の遊技機において、
遊技に係る操作が行われる操作手段を備え、
前記被覆部材には、前記扉を被覆した場合に、前記操作手段を挿通させる挿通孔を有していることを特徴とする遊技機。
【請求項３】
請求項１又は請求項２に記載の遊技機において、
遊技に係る音声を出力する音声出力手段を備え、
前記被覆部材には、前記扉を被覆した場合に、前記音声出力手段を露出させる露出孔を有していることを特徴とする遊技機。
【発明の詳細な説明】
【技術分野】
【０００１】
本発明は、遊技機に関するものである。
【背景技術】
【０００２】
従来の遊技機は、リールユニット及び遊技制御基板を有する上部ユニットと、メダルを払出すホッパー及び電源ボックスを有する下部ユニットと、を備え、上部ユニットと下部ユニットをそれぞれ着脱可能としている（例えば、特許文献１参照）。ここで、例えばリール機構が磨耗劣化した場合、あるいは遊技に関するプログラムが陳腐化した場合に、上部ユニットにおけるリールユニット、あるいは遊技制御基板を交換するのみで、機構部や遊技に関するプログラムを一新し、新規な遊技機として再利用できる場合がある。この場合、機体組立ての工程も簡素化されることになる。
【特許文献１】特開２００５−４０６３９号公報（第８頁、第９頁、第２図など）
【発明の開示】
【発明が解決しようとする課題】
【０００３】
しかしながら、従来の遊技機においては、上部ユニット及び下部ユニットの表面（例えば、筐体の前扉の表面）の損傷による外装の劣化に対する配慮がなされていないため、機体の外観によっては再利用が困難となり、あるいは再販価格が低下するという問題があった。
【０００４】
本発明は、従来の問題を解決するためになされたもので、外装の劣化を防止するのに好適な遊技機を提供することを目的とする。
【課題を解決するための手段】
【０００５】
（１）本発明の遊技機は、一面に開口部を有する筐体（例えば、筐体１００）と、前記開口部を開閉自在に閉塞する扉（例えば、前扉２）と、前記扉を透過して被覆すると共に、前記扉に対して着脱可能な被覆部材（例えば、前扉保護カバー２′）と、を備えた構成を有している。
【０００６】
この構成により、扉は被覆部材によって被覆されるので、遊技者が直接、扉に触れることはなくなり、遊技操作などに起因する汚れから扉を保護することが期待される。あるいは、扉が損傷することを防ぐことが期待される。すなわち、遊技機の外装（扉の外装）の劣化を防ぐことが期待される。更に、被覆部材は扉に対して着脱可能であるため、被覆部材の交換により遊技機の外装の劣化を防ぐことが期待される。
【０００７】
（２）本発明の遊技機は、（１）において、遊技に係る操作が行われる操作手段（例えば、スタートレバー６、停止ボタン７Ｌ、７Ｃ、７Ｒ、１−ＢＥＴスイッチ１１、２−ＢＥＴスイッチ１２、最大ＢＥＴスイッチ１３、Ｃ／Ｐスイッチ１４）を備え、前記被覆部材には、前記扉を被覆した場合に、前記操作手段を挿通させる挿通孔（スタートレバー孔６′、停止ボタン孔７Ｌ′、７Ｃ′、７Ｒ′、１−ＢＥＴスイッチ孔１１′、２−ＢＥＴスイッチ孔１２′、最大ＢＥＴスイッチ孔１３′、Ｃ／Ｐスイッチ孔１４′）を有している。
【０００８】
この構成により、被覆部材は、操作手段が挿通される挿通孔を有するので、被覆部材によって扉を被覆した場合でも、操作手段は被覆部材から露出することになる。よって、操作手段の操作性を低下させることなく、遊技機の外装（扉の外装）の劣化を防ぐことが期待される。
【０００９】
（３）本発明の遊技機は、（１）又は（２）において、遊技に係る音声を出力する音声出力手段（例えば、スピーカ２１Ｌ、２１Ｒ）を備え、前記被覆部材には、前記扉を被覆した場合に、前記音声出力手段を露出させる露出孔（例えば、スピーカ孔２１Ｌ′、２１Ｒ′）を有している。
【００１０】
この構成により、被覆部材は、音声出力手段を露出させる露出孔を有するので、被覆部材によって扉を被覆した場合でも、音声出力手段は被覆部材から露出することになる。よって、音声出力手段により出力される音声の質を低下させることなく、遊技機の外装（扉の外装）の劣化を防ぐことが期待される。
【発明の効果】
【００１１】
本発明は、一面に開口部を有する筐体と、前記開口部を開閉自在に閉塞する扉と、前記扉の一面を透過し、被覆すると共に、前記扉に対して着脱可能な被覆部材と、を設けることにより、遊技者は直接、扉に触れないため、遊技の操作による汚れなどが扉に付着することがなくなり、外装の劣化を防止するのに好適な遊技機を提供することができる。
【発明を実施するための最良の形態】
【００１２】
図１は、本発明に係る遊技機を「パチスロ機」に適用した実施の一形態を示している。このパチスロ機は、コイン、メダル又はトークンなどの他、遊技者に付与された、もしくは付与される遊技価値の情報を記憶したカードなどの遊技媒体を用いて遊技するものであるが、以下ではメダルを用いるものとして説明する。
【００１３】
図１において、パチスロ機１は、（ａ）に示す前扉保護カバー２′と、（ｂ）に示すパチスロ機１の本体（筐体１００、前扉２を含む）と、を有する構成である。ここで、遊技店においては、パチスロ機１の前扉２に前扉保護カバー２′を装着した状態で遊技が行われる。
【００１４】
図１（ａ）において、透明又は半透明の前扉保護カバー２′は、フェノール樹脂、ポリ塩化ビニルなどの有機高分子化合物（以下"プラスチック"という）を材料として一体形成され、更に、複数の孔部が設けられている。この孔部としては、パチスロ機１の前扉２を被覆したとき、スタートレバー６を挿通して外面に露出させるためのスタートレバー孔６′がある。同じく、停止ボタン７Ｌ、７Ｃ、７Ｒを外面に露出させるための停止ボタン孔７Ｌ′、７Ｃ′、７Ｒ′がある。同じく、１−ＢＥＴスイッチ１１、２−ＢＥＴスイッチ１２、最大ＢＥＴスイッチ１３を外面に露出させるための１−ＢＥＴスイッチ孔１１′、２−ＢＥＴスイッチ孔１２′、最大ＢＥＴスイッチ孔１３′がある。同じく、Ｃ／Ｐスイッチ１４を外面に露出させるためのＣ／Ｐスイッチ孔１４′がある。同じく、メダル払出口１５を外面に露出させるためのメダル払出口孔１５′がある。同じく、スピーカ２１Ｌ、２１Ｒを外面に露出させるためのスピーカ孔２１Ｌ′、２１Ｒ′がある。同じく、メダル投入口２２を外面に露出させるためのメダル投入口孔２２′がある。また、前扉保護カバー２′は、例えば、その一端部を粘着剤、両面ファスナーなどで接着することにより、前扉２から着脱可能としている。これに限らず、例えば、前扉２と前扉保護カバー２′に、双方を嵌合するための嵌合部（例えば、凹部又は凸部）を設けることにより、前扉保護カバー２′を前扉２から着脱可能としてもよい。
【００１５】
一方、パチスロ機１の筐体（キャビネット）１００の前面は開口しており、このキャビネット１００の開口部の一辺には、前扉２がヒンジなどの連結部材（不図示）により開閉自在（回動可能）に連結されている。
【００１６】
パチスロ機１の全体を形成しているキャビネット１００の正面（前扉２に相当する）には、略垂直面としてのパネル表示部２ａが形成されている。このパネル表示部２ａの前面には、液晶表示装置５の画面が設けられ、この画面に液晶表示することができ、かつ液晶の奥側に配置された３つのリール（左リール３Ｌ、中リール３Ｃ、右リール３Ｒに相当する）を、表示窓４Ｌ、４Ｃ、４Ｒを通して透過表示できるようにしている。ここでは、更に３つのリール及び液晶表示装置５を、透明又は半透明の前扉保護カバー２′を通して透過表示できるようにしている。前記画面には、遊技に関する情報、あるいはアニメーションなどによる各種の演出情報が表示される。
【００１７】
表示窓４Ｌ、４Ｃ、４Ｒには、有効ラインとして水平方向にトップライン８ｂ、センターライン８ｃ及びボトムライン８ｄ、斜め方向にクロスアップライン８ａ及びクロスダウンライン８ｅが設けられている。これらの有効ラインは、１−ＢＥＴスイッチ１１、２−ＢＥＴスイッチ１２、最大ＢＥＴスイッチ１３を操作すること、あるいはメダル投入口２２にメダルを投入することにより、それぞれ１本、３本、５本が設定される。どの有効ラインが設定されたかは、ＢＥＴランプ９ａ、９ｂ、９ｃが点灯されることで認識される。
【００１８】
キャビネット１００の内部には、各々の外周面に複数種類の図柄を配置した図柄列が描かれた３つのリール３Ｌ、３Ｃ、３Ｒが回転自在に横一列に設けられている。ここで、各リールの図柄は、前述のように表示窓４Ｌ、４Ｃ、４Ｒを通して目視できる。また、各リールは、一定速度（例えば、８０回転／分）で回転する。
【００１９】
表示窓４Ｌ、４Ｃ、４Ｒの左側には、１−ＢＥＴランプ９ａ、２−ＢＥＴランプ９ｂ、最大ＢＥＴランプ９ｃ、ＷＩＮランプ１７、払出表示部１８、ボーナス遊技情報表示部２０などが設けられている。１−ＢＥＴランプ９ａ、２−ＢＥＴランプ９ｂ及び最大ＢＥＴランプ９ｃは、１つのゲームを行うために賭けられたメダルの数（以下「ＢＥＴ数」という）に応じて点灯する。ＷＩＮランプ１７は、ＢＢ又はＲＢが成立した場合に点灯し、ＢＢ又はＲＢに内部当選した場合に所定確率で点灯する。払出表示部１８は、７セグメントＬＥＤからなり、入賞時のメダルの払出枚数を表示する。ボーナス遊技情報表示郡２０は、７セグメントＬＥＤからなり、ＲＢの遊技可能回数及びＲＢの入賞可能回数などを表示する。これらのＬＥＤ類、ランプ類についても、前記透明又は半透明の前扉保護カバー２′を通して透過表示できるようにしている。
【００２０】
ここで、１回の遊技（１ゲーム）は、全てのリールが停止したときに終了する。１−ＢＥＴランプ９ａは、ＢＥＴ数が"１"で１本の有効ラインが設定されたときに点灯する。２−ＢＥＴランプ９ｂは、ＢＥＴ数が"２"で３本の有効ラインが設定されたときに点灯する。最大ＢＥＴランプ９ｃは、ＢＥＴ数が"３"で全て（５本）の有効ラインが設定されたときに点灯する。クレジット表示部（不図示）は、７セグメントＬＥＤから成り、貯留されているメダルの枚数を表示する。
【００２１】
表示窓４Ｌ、４Ｃ、４Ｒの下方には水平面を有する台座部１０が形成され、この台座部１０の右側にはメダル投入口２２が設けられ、同じく左側には、１−ＢＥＴスイッチ１１、２−ＢＥＴスイッチ１２、最大ＢＥＴスイッチ１３などが設けられる。１−ＢＥＴスイッチ１１の１回の押圧操作により、クレジットされているメダルのうちの１枚がゲームに賭けられ、２−ＢＥＴスイッチ１２の１回の押し操作により、クレジットされているメダルのうちの２枚がゲームに賭けられ、最大ＢＥＴスイッチ１３の１回の押し操作により、１回のゲームに賭けることが可能な最大枚数のメダルが賭けられる。これらのＢＥＴスイッチを操作することで、前述の有効ラインが設定される。ここで、１−ＢＥＴスイッチ１１、２−ＢＥＴスイッチ１２、最大ＢＥＴスイッチ１３及びメダル投入口２２は、前扉保護カバー２′の１−ＢＥＴスイッチ孔１１′、２−ＢＥＴスイッチ孔１２′、最大ＢＥＴスイッチ孔１３′及びメダル投入口孔２２′に挿通されることにより露出され、投入に係る操作が可能となっている。
【００２２】
台座部１０の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部１６に溜められる。ここで、Ｃ／Ｐスイッチ１４は、前扉保護カバー２′のＣ／Ｐスイッチ孔１４′から露出し、操作可能となっている。また、メダル払出口１５は、前扉保護カバー２′のメダル払出口孔１５′から露出している。
【００２３】
Ｃ／Ｐスイッチ１４の右側には、遊技者の操作によりリール３Ｌ、３Ｃ、３Ｒを回転させ、表示窓４Ｌ、４Ｃ、４Ｒに表示される図柄の変動を開始（ゲームを開始）するためのスタートレバー６が所定の角度範囲で回動自在に取り付けられている。ここで、スタートレバー６は、前扉保護カバー２′のスタートレバー孔６′に挿通されることにより露出され、操作可能となっている。
【００２４】
台座部１０の前面中央部には、３つのリール３Ｌ、３Ｃ、３Ｒの回転をそれぞれ停止させるための３つの停止ボタン（停止ボタン７Ｌ、７Ｃ、７Ｒ）が設けられている。ここで、停止ボタン７Ｌ、７Ｃ、７Ｒは、前扉保護カバー２′の停止ボタン孔７Ｌ′、７Ｃ′、７Ｒ′に挿通されることにより露出され、操作可能となっている。
【００２５】
台座部１０の前面部の右寄りには、前扉２の施錠時に用いられる鍵穴９０が設けられている。ここで、鍵穴９０は、前扉保護カバー２′の鍵穴用の孔９０′から露出している。
【００２６】
キャビネット１００の前扉２下方の左右（メダル受け部１６の上方）には、スピーカ２１Ｌ、２１Ｒが設けられている。ここで、スピーカ２１Ｌ、２１Ｒは、前扉保護カバー２′のスピーカ孔２１Ｌ′、２１Ｒ′から露出している。
【００２７】
このような本発明の実施の一形態に係るパチスロ機１によれば、その前面に開口部を有する筐体１００と、筐体開口部を開閉自在に閉塞する前扉２と、この前扉２の前面を被覆すると共に、前扉２に対して着脱可能な前扉保護カバー２′と、を設けることにより、遊技者が直接、前扉２の表面に触れることはなくなるので、遊技者の接触に起因する汚れから扉を保護することになる。あるいは、前扉２の表面が遊技者の接触による損傷を防ぐことになる。すなわち、前扉保護カバー２′の装着によりパチスロ機１の外装の劣化を防止することが期待される。この構成は、請求項１に係る本発明の実施の一形態に相当する。
【００２８】
また、本実施形態によれば、前扉保護カバー２′に、例えば、スタートレバー６、停止ボタン７Ｌ、７Ｃ、７Ｒ、１−ＢＥＴスイッチ１１、２−ＢＥＴスイッチ１２、最大ＢＥＴスイッチ１３、Ｃ／Ｐスイッチ１４を露出させるためのスタートレバー孔６′、停止ボタン孔７Ｌ′、７Ｃ′、７Ｒ′、１−ＢＥＴスイッチ孔１１′、２−ＢＥＴスイッチ孔１２′、最大ＢＥＴスイッチ孔１３′、Ｃ／Ｐスイッチ孔１４′を設けることにより、前扉保護カバー２′を装着して前扉２を被覆した場合でも、パチスロ機１の操作性を維持することが期待される。すなわち、パチスロ機１の操作性を低下させることなく、前扉２の外装の劣化を防止することが期待される。この構成は、請求項２に係る本発明の実施の一形態に相当する。
【００２９】
また、本実施形態によれば、前扉保護カバー２′には、例えば、スピーカ２１Ｌ、２１Ｒを露出させるためのスピーカ孔２１Ｌ′、２１Ｒ′を設けることにより、前扉保護カバー２′を装着して前扉２を被覆した場合でも、スピーカ２１Ｌ、２１Ｒにより出力される音声の質を維持することが期待される。すなわち、演出などに係る音声出力を低下させることなく、前扉２の外装の劣化を防止することが期待される。この構成は、請求項３に係る本発明の実施の一形態に相当する。
【００３０】
更に、本実施形態によれば、前扉保護カバー２′をプラスチック材料により一体的に形成しているので、例えば、上下のユニットごとに分割して形成した場合に比べ、前扉２に対する装着作業及び装着後の交換作業が容易である。また、前扉保護カバー２′は、前扉２に露出した操作手段、音声出力手段を更に露出させるための孔部を有しているので、装着時の位置合せが容易である。
【００３１】
また、本実施形態によれば、着脱可能な前扉保護カバー２′において、例えば、前扉２の腰パネルに相当する部分に絵を描き、あるいは前扉２のメッキ部に相当する部分に複雑な模様を描くことにより、パチスロ機１の外観を変化させることができる。
【００３２】
また、本実施形態によれば、前扉保護カバー２′を交換して前扉２の外装を改善することにより、パチスロ機１をレンタルすることも可能となる。この場合、遊技店は、メーカーからの直接購入よりも低コストで、レンタル業者から外装の良好なパチスロ機を取得可能となる。更に、低コストであるため、店舗規模の変更や流行の変遷に対して迅速に応じることができる場合がある。
【００３３】
また、本実施形態によれば、前扉保護カバー２′を装着しなかったために、前扉２の外装が劣化してしまったパチスロ機に対し、半透明の前扉保護カバー２′を新たに装着して損傷部分を隠蔽することで、再利用可能な程度に前扉２の外装を改善できる場合がある。
【００３４】
なお、前述した実施形態では、前扉保護カバー２′の材料として生分解性を有しないプラスチックを用いた場合について説明したが、本発明はこのほかに、生分解性を有する生分解性プラスチック（例えば、ポリヒドロキシブチレート（ＰＨＢ）、ポリ乳酸（ＰＬＡ）、ポリカプロラクトン（ＰＣＬ）、ポリブチレンサクシネート（ＰＢＳ））を用いても同様の効果が得られる場合がある。この場合、廃棄された前扉保護カバー２′は土中や水中の微生物により炭酸ガスと水に分解されるため、更に環境負荷を抑制し、堆肥化などによるリサイクルも可能となる。
【図面の簡単な説明】
【００３５】
【図１】本発明の実施の一形態に係るパチスロ機の本体及び扉カバーを示す分解図である。
【符号の説明】
【００３６】
１  パチスロ機
２  前扉
２′  前扉保護カバー
３Ｌ、３Ｃ、３Ｒ  リール
５  液晶表示装置
６  スタートレバー
６′  スタートレバー孔
７Ｌ、７Ｃ、７Ｒ  停止ボタン
７Ｌ′、７Ｃ′、７Ｒ′  停止ボタン孔
１１  １−ＢＥＴスイッチ
１１′  １−ＢＥＴスイッチ孔
１２  ２−ＢＥＴスイッチ
１２′  ２−ＢＥＴスイッチ孔
１３  最大ＢＥＴスイッチ
１３′  最大ＢＥＴスイッチ孔
１４  Ｃ／Ｐスイッチ
１４′  Ｃ／Ｐスイッチ孔
１５  メダル払出口
１５′  メダル払出口孔
２１Ｌ、２１Ｒ  スピーカ
２１Ｌ′、２１Ｒ′  スピーカ孔
２２  メダル投入口
２２′  メダル投入口孔
９０  鍵穴
９０′  鍵穴用の孔
１００  筐体
【図１】
2007029526.tif 000003